(57)【要約】【課題】  一種類乃至二種類のパイプ接続部材で多方向接続用に使用することができるパイプ接続用ブラケットを提供すること。【解決手段】  壁面等に取り付けられる支持体と、この支持体に固着乃至回転可能に取着される少なくとも１方向に向かって延びる接続リングをブロックに一体形成した２個のパイプ接続部材とから構成され、この２個のパイプ接続部材を組み合わせることにより少なくとも２方向にパイプを接続できるようにしたことを特徴とする。【選択図】図１
2010216213.tif 000002
【特許請求の範囲】
【請求項１】
壁面等に取り付けられる支持体と、この支持体に固着乃至回転可能に取着される少なくとも１方向に向かって延びる接続リングをブロックに一体形成した２個のパイプ接続部材とから構成され、この２個のパイプ接続部材を組み合わせることにより少なくとも２方向にパイプを接続できるようにしたことを特徴とするパイプ接続用ブラケット。
【請求項２】
請求項１記載の２個のパイプ接続部材の内一方のパイプ接続部材は、２方向に延びる接続リングを一体形成したことを特徴とする請求項１記載のパイプ接続用ブラケット。
【請求項３】
請求項１記載のパイプ接続部材は、平面形状を８角形としたことを特徴とする請求項１記載のパイプ接続用ブラケット。
【発明の詳細な説明】
【技術分野】
【０００１】  この発明は、主として階段用、廊下用、介助用等の手摺に使用されるパイプ接続用ブラケットに関するものである。
【発明の開示】
【発明が解決しようとする課題】
【０００２】  従来のパイプ接続用ブラケットとして、支持体に対して固着乃至回転可能に装着されたパイプ接続部材に一体的に形成された接続リングにパイプの一方を挿通することによって接続していくものがあった。【０００３】  然しながら、従来のパイプ接続用ブラケットにあっては、パイプ接続部材と接続リングとは一体形成されたものであったため、接続されるパイプの数によって２方向接続用、３方向接続用というように個別に数種類のパイプ接続部材を用意する必要があり、製造工程が複雑になるだけでなく多数の数種類の製品を保管し、用途に応じて選択して出荷する必要があって在庫管理等の管理面において不経済であった。【０００４】  本発明は、上記従来技術の問題点を解決するために、一種類乃至二種類のパイプ接続部材で多方向接続用に使用することができるパイプ接続用ブラケットを提供するものである。
【課題を解決するための手段】
【０００５】    本発明に係るパイプ接続用ブラケットは、壁面等に取り付けられる支持体と、この支持体に固着乃至回転可能に取着される少なくとも１方向に向かって延びる接続リングをブロックに一体形成した２個のパイプ接続部材とから構成され、この２個のパイプ接続部材を組み合わせることにより少なくとも２方向にパイプを接続できるようにしたことを特徴とするものである。
【発明の作用】
【０００６】  本発明では、接続されるパイプの数と接続方向に応じて２つのパイプ接続部材を組み合わせることによって所望のパイプ連結が行える。
【発明を実施するための最良の実施形態】
【０００７】  以下、１例としてブロックの平面形状を８角形状としたパイプ接続部材を使用した本発明のパイプ接続用ブラケットについて説明をする。
図１は、本発明ブラケットを構成する全部材の斜視図であって、
（ａ）は支持体の斜視図である。
（ｂ）は１個の接続リングを一体形成したパイプ接続部材の斜視図である。
（ｃ）は２個の接続リングを一体形成したパイプ接続部材の斜視図である。
図２は、図１における全部材の縦断側面図であって、
（ａ）は支持体の縦断側面図である。
（ｂ）は１個の接続リングを一体形成したパイプ接続部材の縦断側面図である。
（ｃ）は１個の接続リングを一体形成したパイプ接続部材の縦断側面図である。
図３の（ａ）は、パイプの１方向直線接続の場合の要部拡大正面図、
（ｂ）は同縦断側面図である。
図４の（ａ）は、パイプの２方向直線接続の場合の要部拡大正面図、
（ｂ）は同縦断側面図である。
図５の（ａ）は、パイプの２方向偏向接続の場合の要部拡大正面図、
（ｂ）は同縦断側面図である。
図６は、本発明ブラケットで短尺の手摺を施工した場合の概略説明図である。
図７は、本発明ブラケットで長尺の手摺を施工した場合の説明図である。
図８は、本発明ブラケットでＬ字型の手摺を施工した場合の説明図である。
図９は、本発明ブラケットで変形の手摺を施工した場合の説明図である。
図１０は、３方向接続の場合の本発明ブラケットの正面図である。
図１１は、４方向接続の場合の本発明ブラケットの正面図である。
【０００８】  図において、１は、壁面等に取り付けるための取付板１−１と、後述するパイプ接続部材を嵌めるための大径部１−２と小径部１−３を有し、同小径部の頂面部分にネジ孔１−３ａを形成した円筒状の支柱１−４とから成る支持体であって、後述するパイプ接続部材をネジで固着乃至回転可能に取着するようになっている。
【０００９】  ２は、中央に前記支柱１の大径部１−２に嵌合する大径の孔２ａと、小径部１−３に嵌合する小径の孔２ｂを形成した平面形状が８角形状のパイプ接続部材構成用のブロックで、このブロックにパイプの一端を嵌着するための連結リング２−１を１個乃至２個一体成形してパイプ接続部材３を製作するものである。
【００１０】  連結リング２−１は、ブロック２の厚さの半径を有する円筒形状をしており、前記ブロック２に１個の連結リング２−１を一体形成したものをパイプ接続部材３−Ａ、２個の連結リング２−１、２−１をそれぞれ直交するように一体形成したものをパイプ接続部材３−Ｂとする。
【００１１】  本実施例でパイプ接続部材３を構成するブロック２の平面形状を８角形状に選択した理由は、２個のパイプ接続部材を重ねたときに４５°ずつの回転で一致した平面形状が得られるためで、パイプの接続角度を９０°、１３５°、１８０°にする場合に便利であることによって選択したものであるが、任意角度で接続することができるようにする場合は円形であってもよいものである。
【００１２】  次に、本発明のパイプ接続用ブラケットによる直線状のパイプ状手摺の施工方法を図面に基づいて具体的に説明する。
【００１３】  直線状で短尺の手摺を施工する場合、先ず、壁面Ｗにおける手摺施工の始点と、終点を決め、始点と、終点の２点間の距離が１本のパイプＰで手摺が施工できる場合には始点と、終点の２個所に予め支持体１、１を取り付ける。
【００１４】  次いで、手摺となるパイプＰの両端を１個の連結リング２−１を一体成形したパイプ接続部材２−Ａの連結リング２−１に嵌着し、このパイプ接続部材２−Ａ、２−Ａのそれぞれの大径の孔２ａと小径の孔２ｂをそれぞれの支柱体１の大径部１−２と小径部１−３に嵌合し、両支持体１、１間にパイプＰを支持させた状態にする。
【００１５】  その後、両支持体１、１間にパイプＰを支持させた状態のそれぞれのパイプ接続部材２−Ａのブロック２上に連結リング２−１のないブロック２を重ねるように支持体１の小径部１−３に嵌合させ、重ねた同ブロック２の大径の孔２ａを通じて小径の孔２ｂにネジｎを挿通し、支持体１の頂面部分にあるネジ孔１−３ａに緊締してパイプ接続部材２−Ａ及び連結リング２−１のないブロック２を支持体１に一体固着することによって１本のパイプによる手摺の施工が行われる。（図３）
【００１６】  施工後、ネジｎの頭部を隠すために合成樹脂製の蓋体ｆをブロック２の大径の孔２ａに嵌着しておけば体裁が整えられるものである。
【００１７】  上記の直線状で短尺の手摺を施工する場合にはパイプ同士の接続を必要としない１方向接続であるが、長尺の手摺を施工する場合は単体のパイプを複数本連結する２方向接続の必要がある。
【００１８】  つまり、パイプ同士を連結する場合には、図４のように２個のパイプ接続部材２−Ａ、２−Ａの連結リング２−１、２−１が直線状になるようにして使用すれば２本のパイプを直線状に接続できるもので、病院等の廊下や階段に使用される長尺の手摺を施工する場合は、始点と、終点の支持体間に必要な数だけの支持体１を等間隔に取り付け、単体のパイプＰの両端にパイプ接続部材２−Ａ、２−Ａの連結リング２−１、２−１を嵌合したものを隣り合う支持体１、１に前述の方法によって支持させ、この作業を隣り合う支持体１、１間で連続して繰り返し、パイプ接続部材２−Ａ、２−Ａ同士の重なる個所を前述の方法によってネジ止めすることによって所望長さの廊下用手摺の施工が行えるものである。
【００１９】  上記実施例では直線状の手摺について説明したが、図８のようにトイレ等で使用されるＬ字型の手摺を施工する場合は、前述のパイプ接続部材２−Ａ、２−Ａの連結リング２−１、２−１がそれぞれ直交即ち一方のパイプ接続部材２−Ａを９０°回転させて取り付ければ簡単にパイプを直交接続することができるものである。
【００２０】  また、パイプの接続角度を１３５°にしたい場合は、上述の直交状態から更に一方のパイプ接続部材２−Ａを４５°回転させればよいもので、簡単にパイプの接続角度を変えることができるものである。
【００２１】  このようにパイプの接続角度を９０°、１３５°、１８０°に簡単に変えることができるので、図９のような変形手摺を簡単に施工できるものである。
【００２２】  上記実施例では、１方向用のパイプ接続部材３−Ａを２個使用して２方向のパイプ接続について説明したが、３方向に接続できるようにするには２個の連結リング２−１、２−１をそれぞれ直交するように一体形成した２方向用のパイプ接続部材３−Ｂと１方向用のパイプ接続部材３−Ａを組み合わせば、直交型の３方向接続のブラケットを製作することができ、２方向用のパイプ接続部材３−Ｂの２個の連結リング２−１、２−１の結合角度を１３５°としたものと１方向用のパイプ接続部材３−Ａを組み合わせば、図１０のような偏向型の３方向接続のブラケットを製作することができるものである。
【００２３】  また、連結リング２−１、２−１を直交させた２方向用のパイプ接続部材３−Ｂを２個組み合わせば、図１１のような十字型の３方向接続のブラケットを製作することができるものである。
【発明の効果】
【００２４】    以上述べた如く、本発明に係るパイプ接続用ブラケットによれば、壁面等に取り付けられる支持体と、この支持体に固着乃至回転可能に取着される少なくとも１方向に向かって延びる接続リングを一体形成した２個のブロック状のパイプ接続部材とから構成され、この２個のパイプ接続部材を組み合わせることにより少なくとも２方向にパイプを接続できるようにしたものであるから、一種類乃至二種類のパイプ接続部材で多方向連結用に使用することができ、従来のブラケットのように接続されるパイプの数によって２方向連結用、３方向連結用というように個別に数種類のパイプ接続部材を用意する必要がなく、製造工程の簡略化が図れ、在庫管理等の管理面においても経済的なものである。
【００２５】  また、本発明によれば、壁面等に取り付けられた支持体に後からパイプ接続部材を嵌着することができるようにしたものであるから、手摺施工のための設計図通りに支持体を予め取り付けておいてから施工作業を行うことができるので、施工作業が便利であるという効果がある。
【００２６】  また、請求項２のように２個のパイプ接続部材の内一方のパイプ接続部材を２方向に延びる２個の接続リングを一体形成したもの使用すれば、３方向のパイプ接続が可能となり、更に、２個のパイプ接続部材を２方向に延びる接続リングを一体形成したものにすることによって４方向のパイプ接続が可能となるもので、直線状の手摺に限らずＬ字型の手摺や変形手摺を自在に施工することができ、手摺に限らず格子状の構造物も簡単に製作することができるもので、ブラケットの支持体を床面に取り付けるようにすれば固定式の載置台等も簡単に製作できるという効果がある。
【００２７】  また、請求項３のようにパイプ接続部材のブロックを平面形状８角形とすれば、２個のパイプ接続部材を重ねたときに４５°ずつの回転で一致した平面形状が得られ、パイプの接続角度を９０°、１３５°、１８０°にする場合に便利である。
【図面の簡単な説明】
【００２８】
【図１】本発明ブラケットを構成する全部材の斜視図であって、（ａ）は支持体の斜視図である。（ｂ）は１個の接続リングを一体形成したパイプ接続部材の斜視図である。（ｃ）は２個の接続リングを一体形成したパイプ接続部材の斜視図である。
【図２】図１における全部材の縦断側面図であって、（ａ）は支持体の縦断側面図である。（ｂ）は１個の接続リングを一体形成したパイプ接続部材の縦断側面図である。（ｃ）は１個の接続リングを一体形成したパイプ接続部材の縦断側面図である。
【図３】（ａ）は、パイプの１方向直線接続の場合の要部拡大正面図、（ｂ）は同縦断側面図である。
【図４】（ａ）は、パイプの２方向直線接続の場合の要部拡大正面図、（ｂ）は同縦断側面図である。
【図５】（ａ）は、パイプの２方向偏向接続の場合の要部拡大正面図、（ｂ）は同縦断側面図である。
【図６】本発明ブラケットで短尺の手摺を施工した場合の概略説明図である。
【図７】本発明ブラケットで長尺の手摺を施工した場合の説明図である。
【図８】本発明ブラケットでＬ字型の手摺を施工した場合の説明図である。
【図９】本発明ブラケットで変形の手摺を施工した場合の説明図である。
【図１０】３方向接続の場合の本発明ブラケットの正面図である。
【図１１】４方向接続の場合の本発明ブラケットの正面図である。
【符号の説明】
【００２６】      １          支持体
２          ブロック
２−１      接続リング
３          パイプ接続部材
【図１】
2010216213.tif 000003
【図２】
2010216213.tif 000004
【図３】
2010216213.tif 000005
【図４】
2010216213.tif 000006
【図５】
2010216213.tif 000007
【図６】
2010216213.tif 000008
【図７】
2010216213.tif 000009
【図８】
2010216213.tif 000010
【図９】
2010216213.tif 000011
【図１０】
2010216213.tif 000012
【図１１】
2010216213.tif 000013